(57)【要約】【課題】足首の損傷発生を回避できるようにする靴を提供すること。【解決手段】靴は、靴底アセンブリ３と、使用者の足を取り囲むために備えられた下方部分６１と、使用者の足首又は足首及び下肢の一部を取り囲むために備えられた上方部分６２と、を含む第１エンベロープ６を含む製甲２と、を含む。靴は、固定手段７４によって靴底アセンブリ３及び／又は第１エンベロープ６の下方部分６１に連結した第１部分７１と、第１エンベロープの上方部分６２の周りに巻き付くことができ、第１部分７１に続き、第１エンベロープの上方部分と連結した第２引っ掛け手段７３．２と協働できる第１引っ掛け手段７３．１を含む第２部分７２と、を含む情報伝達バンド７を含む。【選択図】図１
2015071039.tif 000002
【特許請求の範囲】
【請求項１】
靴底アセンブリ（３；１０３）と、
使用者の足を取り囲むために備えられた下方部分（６１；１６１）と、使用者の足首又は足首及び下肢の一部を取り囲むために備えられた上方部分（６２；１６２）と、を含む第１エンベロープ（６；１０４）を含む製甲（２；１０２）と、を含む靴（１；１０１）であって、
固定手段（７４；１７４）によって前記靴底アセンブリ（３；１０３）及び／又は前記第１エンベロープ（６；１０４）の前記下方部分（６１；１６１）に連結した第１部分（７１；１７１）と、
前記第１エンベロープ（６；１０４）の前記上方部分（６２；１６２）の周りに巻き付くことができ、前記第１部分（７１；１７１）に続き、前記第１エンベロープ（６；１０４）の上方部分（６２；１６２）と連結した第２引っ掛け手段（７３．２；１７３．２）と協働できる第１引っ掛け手段（７３．１；１７３．１）を含む第２部分（７２；１７２）と、を含む情報伝達バンド（７；１０７）を含むことを特徴とする靴（１；１０１）。
【請求項２】
前記バンド（７；１０７）の前記第１部分（７１；１７１）が、前記靴（１；１０１）の側面に伸長することを特徴とする請求項１に記載の靴（１；１０１）。
【請求項３】
前記バンド（７；１０７）の前記第２部分（７２；１７２）は、前記バンド（７；１０７）の前記第２部分（７２；１７２）が、前記第１エンベロープ（６；１０４）に引っ掛けられない第１位置（図１；図４）と、前記バンド（７；１０７）の前記第２部分（７２；１７２）が、前記第１エンベロープ（６；１０４）の前記上方部分（６２；１６２）を少なくとも部分的に取り囲む第２位置（図２；図５）との間で移動可能であることを特徴とする請求項１又は２に記載の靴（１；１０１）。
【請求項４】
前記第２位置（図２；図５）において、前記第１引っ掛け手段（７３．１；１７３．１）は、前記第２引っ掛け手段（７３．２；１７３．２）と協働して係合することを特徴とする請求項３に記載の靴（１；１０１）。
【請求項５】
前記第２位置において、前記バンド（７；１０７）の前記第２部分（７２；１７２）は、１８０°を超える、好ましくは２７０°を超える角度（α）の円弧部分を描くように伸長していることを特徴とする請求項３又は４に記載の靴（１；１０１）。
【請求項６】
前記第２位置において、前記バンド（７；１０７）は、前記靴（１；１０１）の側面から前記靴の長手方向正中面（Ｐ）を越えて伸長することを特徴とする請求項３乃至５のいずれか１項に記載の靴（１；１０１）。
【請求項７】
前記バンド（７；１０７）は、前記第１エンベロープ（６；１０４）よりも低弾性であることを特徴とする請求項１乃至６のいずれか１項に記載の靴（１；１０１）。
【請求項８】
前記第１引っ掛け手段（７３．１、７３．２；１７３．１、１７３．２）は、使用者が把持で切る自己把持バンドからなることを特徴とする請求項１乃至７のいずれか１項に記載の靴（１；１０１）。
【請求項９】
前記バンド（７；１０７）の第１端部（７．１；１０７．１）は、裁縫を用いて、又は接着により、前記製甲（２；１０２）と、前記靴底アセンブリ（３；１０３）との間の接合点で固定されることを特徴とする請求項１乃至８のいずれか１項に記載の靴（１；１０１）。
【請求項１０】
前記バンド（７；１０７）の前記第１部分（７１；１７１）の第１端部（７．１；１０７．１）は、前記靴（１；１０１）の側面（１３；１１３）に、使用者の足の中足骨を受けるために備えられた前記靴（１；１０１）の所定の領域（Ｚ）において固定され、前記所定の領域（Ｚ）は、前記靴（１；１０１）の踵（１１；１１１）から第１距離（Ｄ１）及び第２距離（Ｄ２）にそれぞれ位置する第１境界（Ｚ１）と、第２境界（Ｚ２）との間で、前記靴（１；１０１）の長手方向軸（Ｘ）に沿って伸長し、前記第１距離（Ｄ１）は、前記靴の全長（Ｌ）の６０％以上であり、前記第２距離は、前記靴（１；１０１）の全長（Ｌ）の８５％以下であり、前記第１距離（Ｄ１）は、前記第２距離（Ｄ２）よりも小さいことを特徴とする請求項１乃至９のいずれか１項に記載の靴（１；１０１）。
【請求項１１】
前記製甲（２）は、外側エンベロープ（４）を更に含み、前記第１エンベロープ（６）は、前記外側エンベロープ（４）の内部に収容され、且つ前記靴（１）の内部体積（Ｖ）を画定することを特徴とする請求項１乃至１０のいずれか１項に記載の靴（１）。
【請求項１２】
前記第１エンベロープ（１０４）は、前記靴（１０１）の内部体積（Ｖ）を画定する前記製甲（１０２）の外側エンベロープを構成することを特徴とする請求項１乃至１０のいずれか１項に記載の靴（１０１）。
【発明の詳細な説明】
【技術分野】
【０００１】
本発明は、靴、特にスポーツシューズに関する。
【背景技術】
【０００２】
かかる靴は、特にテニス、バドミントン、バレーボール、サッカー、野球、バスケットボール、又はボクシングに使用できる。これらのスポーツは、足首の損傷、例えば捻挫の危険を伴う。
【０００３】
米国特許第８３０２３２９号は、靴の側面に固着され、且つ靴の後部を取り囲む保持バンドを備えたバスケットボールシューズを開示する。このバンドは、紐によって足の前部に取り付けられる。保持バンドは、足の側方運動の場合に、靴の後部が足を安定させるように維持できるようにする。
【０００４】
保持バンドは、足の逆動に逆らい、足底面を内部に向けて、すなわち内側に担持し、足の内側縁部を持ち上げて、足首の捻挫を食い止める。保持バンドのこの作用は、足の逆動開始の場合に、この運動が増大し、且つ足首の損傷をもたらす可能性がある位置に足を導くことを回避できるようにしない。足首が激しくねじ曲げられる時、保持バンドは、足首がねじ曲げられることを妨げるために十分有効でない。
【先行技術文献】
【特許文献】
【０００５】
【特許文献１】米国特許第８３０２３２９号
【発明の概要】
【発明が解決しようとする課題】
【０００６】
本発明は、足首の捻挫等損傷発生を回避できるようにする靴を提案し、従来技術の欠点を改善せんとするものである。本発明は、自己受容感覚を改良すること、すなわち使用者が地面に由来し、足、足首又は下肢に向かう知覚情報をより良く感知するように導くことにも努める。それは、地面及び靴の間の相互作用を更に知覚可能にすることである。
【課題を解決するための手段】
【０００７】
このために、本発明は、
靴底アセンブリと、
製甲であって、
使用者の足を取り囲むために備えられた下方部分と、
使用者の足首又は足首及び下肢の一部を取り囲むために備えられた上方部分と、を含む第１エンベロープを含む製甲と、を含む靴を対象にする。
【０００８】
靴は、
それに沿って伸長する固定手段によって靴底アセンブリ及び／又は第１エンベロープの下方部分に連結した第１部分と、
第１エンベロープの上方部分の周りに巻き付くことができ、第１部分に続き、且つ第１エンベロープの上方部分と連結した第２引っ掛け手段と協働できる第１引っ掛け手段を含む第２部分と、を含む情報伝達バンドを含む。
【０００９】
以下で、記載した実施例により、靴の側面に伸長するバンドの第１部分が見られる。
【００１０】
本発明により、使用者の足が逆動を開始する時、使用者は、情報伝達バンドを介して、足首の位置に関する情報を受ける。自動的に、使用者は、逆動が増大することを回避するために、その運動を修正する。このようにして、バンドは、足首の損傷、特に捻挫を予防的に回避する。すなわち使用者は、損傷が開始される前にその運動を自分自身で修正することができる。
【００１１】
本発明の好適実施形態によれば、強制的でない態様によれば、かかる靴は、技術的に許容可能なあらゆる組み合わせにおいて選択される、次の特徴の１つ又は幾つかを組み込むことができる。
情報伝達バンドの第２部分は、バンドの第２部分が、第１エンベロープに引っ掛けられない第１位置と、バンドの第２部分が、第１エンベロープの上方部分を少なくとも部分的に取り囲む第２位置との間で移動可能である。
第２位置において、第１引っ掛け手段は、第２引っ掛け手段と協働する。
第２位置において、バンドの第２部分は、１８０°を超える、好ましくは２７０°を超える角度の円弧部分を描くように延在する。
第２位置において、バンドは、靴の側面から靴の長手方向正中面を越えて伸長する。
バンドは、第１エンベロープよりも低弾性である。
引っ掛け手段は、使用者が把持できる自己把持バンドからなる。
バンドの第１端部は、例えば裁縫を用いて、又は接着により、製甲と、靴底アセンブリとの間の接合点の高さで固定される。
バンドの第１部分の第１端部は、靴の側面に、使用者の足の中足骨を受けるために備えられた靴の領域の高さで固定され、領域は、靴の踵から第１距離及び第２距離にそれぞれ位置する第１境界と、第２境界との間で、靴の長手方向軸に沿って伸長する。第１距離は、靴の全長の６０％以上である。第２距離は、靴の全長の８５％以下であり、第１距離は、第２距離よりも小さい。
製甲は、外側エンベロープを更に含み、且つ第１エンベロープは、外側エンベロープの内側に収容され、且つ靴の内部体積を画定する。
第１エンベロープは、靴の内部体積を画定する製甲の外側エンベロープを構成するようにしてもよい。
【００１２】
本発明及びその利点は、専ら例示として言及され、且つ添付図面を参照してなされる、本発明による靴の２つの実施形態の以下の記載により、より良く理解されるであろう。
【図面の簡単な説明】
【００１３】
【図１】本発明に従った靴の斜視図である。
【図２】図１の靴の別の角度での斜視図である。
【図３】図１の面Ｐ３に沿った部分断面図である。
【図４】本発明の第２の実施形態に従った靴の図１に類似した図である。
【図５】本発明の第２の実施形態に従った靴の図２に類似した図である。
【図６】本発明の第２の実施形態に従った靴の図３に類似した図である。
【発明を実施するための形態】
【００１４】
図１から図３は、使用者の足を受け入れるために備えられた靴１を示す。靴１は、スポーツ、特にテニス、バスケットボール又はボクシングを行うことに適する。本発明は、他のタイプの靴にも応用される。
【００１５】
靴１は、踵１１と前端部１２との間の長さと、側面（外側）１３と内側１４との間の幅を有する。
【００１６】
踵１１と前端部１２との間に及ぶ靴１の長手方向幾何学的軸を“Ｘ”で示している。
【００１７】
靴１は、使用者の足を取り囲むために備えられた製甲(アッパー)２と、幾つかの層３１、３２、３３及び３４を含む靴底アセンブリ３とを含む。
【００１８】
製甲２は、使用者の足を受ける体積Ｖを画定し、且つ外側エンベロープ４と、外側エンベロープの内部に収容されたインナーシュー６、又は第１エンベロープとを含む。
【００１９】
本出願において、用語、内側及び外側は、体積Ｖに関する。内部要素は、体積Ｖを画定し、且つ外部要素は、体積Ｖの外に位置する。
【００２０】
製甲２の外側エンベロープ４は、例えば特にシュトローベル（Ｓｔｒｏｂｅｌ）タイプの裁縫によって第１装着靴底３１にその底部によって連結した側方区域４１と、内側区域４２とを含む。
【００２１】
製甲２の外側エンベロープ４は、例えば接着によって外側靴底３２に連結される。外側靴底３２は、中間靴底３２．１と、磨滅層３２．２とを含む。
【００２２】
製甲２の外側エンベロープ４は、低いプロフィールを有する。すなわち、使用者の足のみを覆い、且つ下肢を覆わないように設けられている。このようにして、外側エンベロープ４の側方区域４１及び内側区域４２は、使用者のくるぶしの周りを回るように備えられた切り込み４０を各々が含む。
【００２３】
外側エンベロープ４は、側方区域４１と内側区域４２との間に、使用者が靴１を履けるように備えられた開口部４３を含む。
【００２４】
締め付け手段が、製甲２を使用者の足に対して可逆的に締め付けることが出来るように設けられている。締め付け手段は、スリット又は開口部４３に沿って製甲２の外側エンベロープ４に設けられた孔４４及び４５を含む。孔４４は、側面１３に配置され、且つ孔４５は、内側１４に配置される。
【００２５】
締め付け手段は、孔４４及び４５を通じて蛇行する紐５も含む。紐５を引っ張ると、製甲２の外側エンベロープ４の側方区域４１及び内側区域４２の相互接近によって製甲２を締め付けることが出来る。
【００２６】
変形形態において、孔４４及び４５並びに／又は紐５は、フックのような他の締め付け手段に代えることができる。
【００２７】
インナーシュー６は、外側エンベロープ４によって覆われ、且つ使用者の足を取り囲むために備えられた下方部分６１と、下肢を取り囲み、且つ特にくるぶしを覆うために備えられた全体として管状の上方部分６２とを含む。このようにして上方部分６２は、外側エンベロープ４からはみ出る。
【００２８】
下方部分６１は、例えば特にシュトローベルタイプの裁縫を用いて第２装着靴底３３にその底部によって連結した側方区域６３と、内側区域６４とを含む。
【００２９】
任意に、衛生用靴底３４が、体積Ｖの内部で第２装着靴底３３の上に配置される。
【００３０】
上方部分６２の自由端６２．１は、使用者が靴１を履く時に、使用者の足が通過するための開口部を画定する。足が、靴１内部で所定位置に入る時、上方部分６２は、下肢及び足首を取り囲む。
【００３１】
使用者に足首の位置に関する情報を与える情報伝達バンド７は、例えば裁縫を用いて、又は接着により、製甲２と、靴底アセンブリ３との間の接合点の高さで固定される第１端部７．１を含む。第１端部７．１は、靴の側面１３に、使用者の足の中足骨を受けるために備えられている靴１の領域Ｚにおける高さで位置する。
【００３２】
領域Ｚは、第１境界Ｚ１と、第２境界Ｚ２との間で、軸Ｘに沿って伸長する。第１境界Ｚ１は、踵１１と、前端部１２との間の軸Ｘと平行に測定される、靴１の全長Ｌの６０％以上である、踵１１から軸Ｘと平行に測定される、踵１１からの距離Ｄ１に位置する。第２境界Ｚ２は、靴１の全長Ｌの８５％以下である、踵１１から軸Ｘと平行に測定される、踵１１からの距離Ｄ２に位置する。あるいは、好適には、７５％以下の距離Ｄ２を備えることができる。
【００３３】
距離Ｄ１は、距離Ｄ２よりも厳密に小さい。
【００３４】
領域Ｚは、バンド７の第１端部７．１の固着領域である。すなわち、バンド７の第１端部７．１は、領域Ｚ内に含まれる。このようにして、第１端部７．１の高さでのバンド７の幅は、領域Ｚの長さ（Ｄ２−Ｄ１）以下である。
【００３５】
バンド７は、第１端部７．１から伸長し、且つ製甲２の外側エンベロープ４と、インナーシュー６との間に位置する第１部分７１を含む。第１部分７１は、第１部分７１に沿って伸長する固定手段によって、例えば裁縫７４を用いてインナーシュー６に固定される。
【００３６】
第１部分７１は、外側エンベロープ４の下に隠され、軸Ｘと平行であり且つ前端部１２から踵１１に及ぶ方向に向けられる軸方向成分Ａを含む方向Ｄに沿って伸長する。方向Ｄは、靴底アセンブリ３の平面全体に対して垂直な軸Ｙと平行な成分Ｂも含む。軸Ｙは、使用者の脚と概ね平行である。成分Ｂは、靴１が、水平面に載る時、軸Ｙに沿って上方に向けられる。
【００３７】
バンド７は、第１部分７１に続いていて、製甲２に固定されない第２部分７２を外側エンベロープ４の外側において含む。第２部分は、上方部分６２及び使用者の下肢を締め付けるように、インナーシュー６の上方部分６２の周りに巻き付けられるように設けられている。第２部分７２は、第１端部７．１に対向する自由端７．２で終端する。
【００３８】
第２部分７２の内面においては、第２自己把持バンドのループ（ｖｅｌｏｕｒｓ）のようなインナーシュー６と連結した第２引っ掛け手段７３．２に引っ掛かるように備えられた、自己把持バンドのフック、又はベルクロ（登録商標）のような、第１引っ掛け手段７３．１を自由端の側に有する。
【００３９】
製甲２の外側エンベロープ４は、天然又は合成材料であっても良い、１つの層、又は複数の層の重ね合わせのような、比較的柔軟な材料から製造される。限定するものではないが、このような層は、皮革、シート状ポリウレタン又は同等の材料、互いに機械的に組み合わされた糸その他から形成されても良い。
【００４０】
インナーシュー６は、足及び足首の運動に追随するように、製織、編物その他のような技術により、互いに機械的に組み合わされた合成材料の糸を例えば含む、比較的且つ僅かに弾性の材料から製造してもよい。
【００４１】
バンド７は、柔軟且つ伸長不可能な材料、例えば編んだ、又は織った帯紐、合成材料のバンドその他から製造される。変形形態において、バンド７は、僅かに伸長可能であり、このことにより使用者が、より快適になる。あらゆる場合において、バンド７は、それが固定されるインナーシュー６よりも弾性が低い。
【００４２】
機能の仕方は、次の通りである。使用者は、第２引っ掛け手段からバンド７の自由端７．２を外し、次に自由端の高さで、インナーシュー６に足を挿入する。一旦、足がインナーシュー６内で所定位置に入ると、使用者は、バンド７の自由端７．２をつかみ、それをインナーシュー６の上方部分６２の周りに巻き付け、足首及び下肢を締め付けるようにする。次に使用者は、例えば第１引っ掛け手段に対して圧力をかけて、第１及び第２引っ掛け手段を協働させ係合又は締結させる。
【００４３】
このようにして、バンド７は、バンド７の自由端７．２が、インナーシュー６に引っ掛けられない(係合されない)、図１に表した第１位置と、バンド７が、インナーシュー６の上方部分６２を少なくとも部分的に取り囲み、且つ上方部分６２に引っ掛けられる（係合される）、図２に表した第２位置との間で移動可能である。
【００４４】
第２位置において、バンド７の第２部分７２は、軸Ｙの周りに１８０°を超え、好ましくは２７０°を超える角度の円弧部分を描くように伸長している。
【００４５】
第２位置において、バンド７は、靴１の側面から、軸Ｘを通過し、且つ靴１を側方部分及び内側部分に分ける靴の長手方向正中面Ｐを越えて伸長する。
【００４６】
例えばテニスをするために靴１を使用する際に、使用者の足が逆動を開始する時、弾性が低いか、弾性を有さないバンド７は、使用者の足によって力学的にテンション（引っ張り）を受ける。この機械的応力は、バンド７を介して足首及び下肢に伝達される。このようにして使用者は、バンド７を介して足首の位置に関する情報を受ける。自動的に使用者は、逆動が増大することを回避するために、その運動を自身で修正できる。このようにして、バンド７は、足首の損傷、特に捻挫を予防的に事前に回避する。すなわち使用者は、損傷が開始される前にその運動を自分自身で修正することが出来る。
【００４７】
図４から図６は、本発明の第２の実施形態に従った靴１０１を示す。図４から図６で、図１から図３の要素に類似した要素は、１００増加した同じ数値参照を持つ。
【００４８】
以下において、靴１の要素に類似した靴１０１の要素は、詳細に記載しない。
【００４９】
靴１０１は、踵１１１と前端部１１２との間に伸長する長さと、側面１１３と内側１１４との間に伸長する幅を有する。長手方向軸に“Ｘ”印を付している。
【００５０】
靴１０１は、使用者の足を取り囲むために備えられた製甲１０２と、幾つかの靴底１３１、１３２及び１３４を含む靴底アセンブリ１０３とを含む。
【００５１】
製甲１０２は、使用者の足を受ける体積Ｖを画定し、且つ外側エンベロープ１０４又は第１エンベロープを含む。
【００５２】
靴１に反して、靴１０１は、外側エンベロープ１０４の内部に収容されるインナーシューを含まない。
【００５３】
製甲１０２の外側エンベロープ１０４は、例えば特にシュトローベルタイプの裁縫によって第１装着靴底１３１にその底部によって連結した側方区域１４１と、内側区域１４２とを含む。
【００５４】
製甲１０２の外側エンベロープ１０４は、例えば接着によって外側靴底１３２に連結される。外側靴底１３２は、中間靴底１３２．１と、磨滅層１３２．２とを含む。
【００５５】
製甲１０２の外側エンベロープ１０４は、使用者の足を取り囲むために備えられた下方部分１６１と、下肢を取り囲み、且つ特にくるぶしを覆うために備えられた全体として管状の上方部分１６２とを含む。
【００５６】
任意に、衛生用靴底１３４が、体積Ｖの内部で第１装着靴底１３１の上に配置される。
【００５７】
上方部分１６２の自由端１６２．１は、使用者が靴１０１を履く時に、使用者の足が通過するための開口部を画定する。足が、靴１０１内部で所定位置に入る時、上方部分１６２は、下肢を取り囲む。
【００５８】
外側エンベロープ１０４は、側方区域１４１と内側区域１４２との間に、使用者が靴１０１を履けるように備えられたスリット(開口部)１４３を含む。
【００５９】
締め付け手段１０５、１４４及び１４５が、製甲１０２を使用者の足に対して可逆的に締め付けるために備えられる。
【００６０】
情報伝達バンド１０７は、例えば裁縫を用いて、又は接着により、製甲１０２と、靴底アセンブリ１０３との間の接合点の高さで固定される第１端部１０７．１を含む。第１端部１０７．１は、靴の側面１１３に、使用者の足の中足骨を受けるために備えられた靴１０１の領域Ｚの高さで位置し、且つ第１の実施形態を参照して記載された領域Ｚに類似する。
【００６１】
バンド１０７は、第１端部１０７．１から伸長し、且つ固着領域Ｚの高さで、例えば裁縫１７４を用いて製甲１０２の下方部分１６１に固定される第１部分１７１を含む。
【００６２】
バンド１０７は、第１部分１７１に続き、上方部分１６２及び使用者の下肢を締め付けるように上方部分１６２の周りに巻き付けられるようにして備えられた第２部分１７２を含む。第２部分１７２は、第１端部１０７．１に対向する自由端１０７．２で終端する。
【００６３】
第２部分１７２の内面において、製甲１０２の上方部分１６２と連結した第２引っ掛け手段１７３．２に引っ掛かるように備えられた、第１引っ掛け手段１７３．１を自由端の側に有する。
【００６４】
製甲１０２の外側エンベロープ１０４は、足及び足首の運動に従うように、皮革、織物、プラスチック材シートのような天然又は合成材料の１つ又は複数の層を含む、比較的柔軟で僅かに弾性を有する材料から製造される。
【００６５】
バンド１０７は、柔軟且つ伸長不可能な材料、例えば織物帯紐、又はあらゆる同等物から製造される。変形形態において、バンド１０７は、僅かに伸長可能であり、このことにより使用者が、より快適になる。あらゆる場合において、バンド１０７は、それが固定される外側エンベロープ１０４よりも弾性が低い。
【００６６】
機能の仕方は、靴１のそれと類似する。使用者は、第２引っ掛け手段からバンド１０７の自由端１０７．２を外し、次に自由端１６２．１の高さで、製甲１０２の上方部分１６２に足を挿入する。一旦、足が外側エンベロープ１０４内で所定位置に入ると、使用者は、バンド１０７の自由端１０７．２をつかみ、それを外側エンベロープ１０４の上方部分１６２の周りに巻き付け、足首及び下肢を締め付けるようにする。次に使用者は、第１及び第２引っ掛け手段を協働させ締結する。
【００６７】
このようにして、バンド１０７は、バンド１０７の自由端１０７．２が、製甲１０２に引っ掛けられない、図４に表した第１位置と、バンド１０７が、製甲１０２の上方部分１６２を少なくとも部分的に取り囲み、且つ上方部分１６２に引っ掛けられる、図５に表した第２位置との間で移動可能である。
【００６８】
本発明の範囲内で、上記に記載された変形形態は、少なくとも部分的に互いに組み合わせることができる。
【図１】
2015071039.tif 000003
【図２】
2015071039.tif 000004
【図３】
2015071039.tif 000005
【図４】
2015071039.tif 000006
【図５】
2015071039.tif 000007
【図６】
2015071039.tif 000008